(57)【要約】【課題】６極モータに係る２ブラシ及び４ブラシの使用下において共用化できる安価なブラシ装置及び直流モータを提供することにある。【解決手段】ベースプレート３１の基準線Ｌｋを基準として周方向時計回り方向側の９０度位置に第１ブラシボックス３２ａ、１５０度位置に第２ブラシボックス３２ｂを配置した。また、ベースプレート３１の基準線Ｌｋを基準として周方向反時計回り方向側の９０度位置に第４ブラシボックス３２ｄ、１５０度位置に第３ブラシボックス３２ｃを配置した。そして、第１及び第３ブラシボックス３２ａ，３２ｃに第１ブラシＢ１をそれぞれ収容するとともに、第２及び第４ブラシボックス３２ｂ，３２ｄに第２ブラシＢ２をそれぞれ収容した。【選択図】図３
2014064389.tif 000002
【特許請求の範囲】
【請求項１】
モータの回転軸が貫通される貫通穴を有す環状のベースプレートの一側面周方向に互いに間隔をおいて設けられ、少なくとも１つの第１極性の第１ブラシと少なくとも１つの第２極性の第２ブラシをそれぞれ収容する複数の径方向にのびるブラシボックスと、
前記ベースプレートに対して、その一側面側に一端が露出するとともにその一側面からその他側面に貫通固定され、前記第１ブラシとベースプレートの一側面側で前記ブラシボックスを構成しない第１導電部材を介して接続する第１電源端子と、
前記ベースプレートに対して、その一側面からその他側面に貫通固定され、前記第２ブラシとベースプレートの一側面側で前記ブラシボックスを構成しない第２導電部材を介して接続する第２電源端子と
を有したブラシ装置であって、
前記第１電源端子と前記第２電源端子は、前記ベースプレートの一側面において前記貫通穴の中心を通り径方向にのびる基準線に対し周方向左右３０度以内に並設され、
前記複数のブラシボックスは、４つであり、第１極性の第１ブラシが収容されるブラシボックスは、前記基準線を基準に周方向時計回り方向の９０度位置及び２１０度位置にそれぞれ配置形成するとともに、第２極性の第２ブラシが収容されるブラシボックスは、前記基準線を基準に周方向反時計回り方向の９０度位置及び２１０度位置にそれぞれ配置形成されていることを特徴とするブラシ装置。
【請求項２】
請求項１に記載のブラシ装置において、
前記第１導電部材及び第２導電部材は、円弧状に湾曲形成され、前記第１導電部材及び第２導電部材は、それぞれ互いに反対回り方向から対応する前記第１電源端子及び第２電源端子に接続されていることを特徴とするブラシ装置。
【請求項３】
請求項１又は２に記載のブラシ装置において、
前記４つのブラシボックスは、交互に前記第１ブラシと前記第２ブラシを収容されていることを特徴とするブラシ装置。
【請求項４】
請求項１又は２に記載のブラシ装置において、
前記４つのブラシボックスのうち、前記基準線を基準に周方向時計回り方向と反時計回り方向の９０度位置に配置した２つのブラシボックスに、前記第１ブラシと前記第２ブラシをそれぞれ収容したことを特徴とするブラシ装置。
【請求項５】
請求項２〜４のいずれか１つに記載のブラシ装置において、
前記第１電源端子と接続する前記円弧状に湾曲形成された第１導電部材は、一端が前記第１電源端子の対向側の径方向に係り合うとともに、その係合部が第１電源端子側に弾圧するバネ部を有し、
前記第２電源端子と接続する前記円弧状に湾曲形成された第２導電部材は、前記第２電源端子の対向側の径方向に係り合うとともに、その係合部が第２電源端子側に弾圧するバネ部を有していることを特徴とするブラシ装置。
【請求項６】
請求項５に記載のブラシ装置において、
前記第１導電部材に設けたバネ部は、前記第１電源端子とその第１電源端子側の９０度位置配置されたブラシボックスの間に形成されたコイルバネであり、
前記第２導電部材に設けたバネ部は、前記第２電源端子とその第２電源端子側の９０度位置配置されたブラシボックスの間に形成されたコイルバネであることを特徴とするブラシ装置。
【請求項７】
請求項１〜６のいずれか１つに記載のブラシ装置を備えた直流モータ。
【発明の詳細な説明】
【技術分野】
【０００１】
本発明は、ブラシ装置及び直流モータに関するものである。
【背景技術】
【０００２】
特許文献１のブラシ付き直流モータには、６極モータに電流を供給するためのブラシ装置が開示されている。このブラシ装置では、ブラシボックス側に露出する２つの電源端子位置中心から周方向に３０度離れたブラシと該ブラシから１２０度離間した同極のブラシを繋ぐ導電板がそれぞれ１つずつ、左側半分と右側半分とに分かれて配置されている。
【先行技術文献】
【特許文献】
【０００３】
【特許文献１】特開２００６−１７４５８６号公報
【発明の概要】
【発明が解決しようとする課題】
【０００４】
ところで、上記ブラシ装置では、４つのブラシを用いる場合には好ましいが、電流が小さい、あるいは、短時間使用では、ブラシが２つでよい場合がある。そこで、上記ブラシ装置を共有化すべく電源端子側にブラシを配置することが可能なものの、ブラシと導電板が近接するため、組み付けが容易でなかった。しかも、ブラシボックスの一構成部材とした高価な導電部材がまるまる無駄になることとなる。
【０００５】
一方、反端子側にブラシを配置すれば、ブラシの組み付けは向上するが、電源端子側のブラシボックスを構成する部分が無駄となる。
また、端子に対しブラシボックス位置を変更すると、６ブラシ用のブラシ装置における製造設備との共用化が困難となる。
【０００６】
本発明は上記問題点を解消するためになされたものであって、その目的は、６極モータに係る２ブラシ及び４ブラシの使用下において共用化できる安価なブラシ装置及び直流モータを提供することにある。
【課題を解決するための手段】
【０００７】
請求項１に記載の発明は、モータの回転軸が貫通される貫通穴を有す環状のベースプレートの一側面周方向に互いに間隔をおいて設けられ、少なくとも１つの第１極性の第１ブラシと少なくとも１つの第２極性の第２ブラシをそれぞれ収容する複数の径方向にのびるブラシボックスと、前記ベースプレートに対して、その一側面側に一端が露出するとともにその一側面からその他側面に貫通固定され、前記第１ブラシとベースプレートの一側面側で前記ブラシボックスを構成しない第１導電部材を介して接続する第１電源端子と、前記ベースプレートに対して、その一側面からその他側面に貫通固定され、前記第２ブラシとベースプレートの一側面側で前記ブラシボックスを構成しない第２導電部材を介して接続する第２電源端子とを有したブラシ装置であって、前記第１電源端子と前記第２電源端子は、前記ベースプレートの一側面において前記貫通穴の中心を通り径方向にのびる基準線に対し周方向左右３０度以内に並設され、前記複数のブラシボックスは、４つであり、第１極性の第１ブラシが収容されるブラシボックスは、前記基準線を基準に周方向時計回り方向の９０度位置及び２１０度位置にそれぞれ配置形成するとともに、第２極性の第２ブラシが収容されるブラシボックスは、前記基準線を基準に周方向反時計回り方向の９０度位置及び２１０度位置にそれぞれ配置形成されていることを特徴とするブラシ装置。
【０００８】
請求項１に記載の発明によれば、ブラシボックスが電源端子の中心から周方向に９０度及び１５０度の位置に配置形成されている。従って、ブラシボックスへのブラシの収容が容易となる。
【０００９】
また、ブラシボックスを構成しない導電部材を用いたことから、導電部材はブラシボックス構成部を除いた簡易な部材とすることができる。
また、第１及び第２ブラシをそれぞれ２つずつ使用するブラシ装置以外に、第１及び第２ブラシをそれぞれ１つずつ使用するブラシ装置にも兼用できることから、２品種少量の製造から１品種大量生産が可能となり製造コストを低減させることができる。
【００１０】
さらに、電源端子の中心から周方向に３０度の位置にもブラシボックスを配置形成したブラシ装置とも設備の共有化ができる。
請求項２に記載の発明は、請求項１に記載のブラシ装置において、前記第１導電部材及び第２導電部材は、円弧状に湾曲形成され、前記第１導電部材及び第２導電部材は、それぞれ互いに反対回り方向から対応する前記第１電源端子及び第２電源端子に接続されている。
【００１１】
請求項２に記載の発明によれば、第１導電部材及び第２導電部材は、それぞれ反対の方向から対応する第１電源端子及び第２電源端子に接続されることから、その接続作業は電気的に離間した状態での作業となり、第１導電部材と第２導電部材間の絶縁性も十分に確保され、信頼性の高い接続作業が容易に行える。
【００１２】
請求項３に記載の発明は、請求項１又は２に記載のブラシ装置において、前記４つのブラシボックスは、交互に前記第１ブラシと前記第２ブラシを収容されている。
請求項３に記載の発明によれば、ブラシ電流を大きくし高出力を得るモータに適用できる。
【００１３】
請求項４に記載の発明は、請求項１又は２に記載のブラシ装置において、前記４つのブラシボックスのうち、前記基準線を基準に周方向時計回り方向と反時計回り方向の９０度位置に配置した２つのブラシボックスに、前記第１ブラシと前記第２ブラシをそれぞれ収容した。
【００１４】
請求項４に記載の発明によれば、第１ブラシと第２ブラシが大きく離間することから、ブラシと整流子片の摺接による発熱温度がこもることがなく、ブラシ発熱によって許容温度に近い状態でモータが使用されることがない。また、小電流で駆動できるモータにあっては、第１ブラシと第２ブラシがそれぞれ１つずつとなるため、ブラシが減る分コストダウンを図ることができる。
【００１５】
請求項５に記載の発明は、請求項２〜４のいずれか１つに記載のブラシ装置において、前記第１電源端子と接続する前記円弧状に湾曲形成された第１導電部材は、一端が前記第１電源端子の対向側の径方向に係り合うとともに、その係合部が第１電源端子側に弾圧するバネ部を有し、前記第２電源端子と接続する前記円弧状に湾曲形成された第２導電部材は、前記第２電源端子の対向側の径方向に係り合うとともに、その係合部が第２電源端子側に弾圧するバネ部を有している。
【００１６】
請求項５に記載の発明によれば、第１電源端子と第１導電部材及び第２電源端子と第２導電部材の溶接作業を容易することができる。
請求項６に記載の発明は、請求項５に記載のブラシ装置において、前記第１導電部材に設けたバネ部は、前記第１電源端子とその第１電源端子側の９０度位置配置されたブラシボックスの間に形成されたコイルバネであり、前記第２導電部材に設けたバネ部は、前記第２電源端子とその第２電源端子側の９０度位置配置されたブラシボックスの間に形成されたコイルバネである。
【００１７】
請求項６に記載の発明によれば、バネ部がコイルバネであることから、チョークコイルの機能を有し、第１及び第２ブラシが整流子片を摺接する際に発生する高周波ノイズを抑制することができる。
【００１８】
請求項７に記載の発明は、請求項１〜６のいずれか１つに記載のブラシ装置を備えた直流モータ。
請求項７に記載の発明によれば、ブラシ装置が安価できることから、直流モータのコストダウン化を実現できる。
【発明の効果】
【００１９】
本発明によれば、６極モータに係る２ブラシ及び４ブラシの使用下において共用化できる。
【図面の簡単な説明】
【００２０】
【図１】実施形態の直流モータの断面図。
【図２】同じく直流モータに備えられたブラシ装置を説明するための電機子コア側から見た斜視図。
【図３】同じくブラシ装置を電機子コア側から見た正面図。
【図４】同じくブラシ装置のブラシホルダを説明するための電機子コア側から見た斜視図。
【図５】同じくブラシホルダを電機子コア側から見た正面図。
【図６】同じく、第１導電部材による第１電源端子と各第１ブラシとの結線状態を説明するための斜視図。
【図７】同じく、第２導電部材による第２電源端子と各第２ブラシとの結線状態を説明するための斜視図。
【図８】同じく、第１電極端子の斜視図。
【図９】同じく、第２電極端子の斜視図。
【図１０】同じく、補助電極端子の正面図。
【図１１】同じく、補助電極端子の付勢片を説明するためのＸ−Ｘ線端面図。
【図１２】同じく、（ａ）は第１コンデンサの斜視図、（ｂ）は第２コンデンサの斜視図。
【発明を実施するための形態】
【００２１】
以下、本発明を具体化した一実施形態を図１〜図１２に従って説明する。
図１に示すように、直流モータＭは、有蓋円筒状のヨークハウジング１と、そのヨークハウジング１の内部に収容された電機子２と、ヨークハウジング１の開口部に配置されたブラシ装置３とを備えている。
【００２２】
ヨークハウジング１は、円筒状をなす円筒部１１と、円筒部１１の一側上部を閉塞する蓋部１２を有している。ヨークハウジング１の円筒部１１の内周面１１ａには、３個の第１永久磁石ＭＧ１（図１では１個のみ表示）と３個の第２永久磁石ＭＧ２（図１では１個のみ表示）が、周方向に交互に配置固定されている。そして、ヨークハウジング１の円筒部１１、３個の第１永久磁石ＭＧ１及び３個の第２永久磁石ＭＧ２にて固定子が構成される。
【００２３】
３個の第１永久磁石ＭＧ１は、径方向内側がＮ極、径方向外側がＳ極に磁化されている。３個の第２永久磁石ＭＧ２は、径方向内側がＳ極、径方向外側がＮ極に磁化されている。そして、周方向に交互に配置された３個の第１永久磁石ＭＧ１と３個の第２永久磁石ＭＧ２は、６０度間隔に配置固定されている。従って、円筒部１１の内側には、周方向に６個の磁極が設けられている。
【００２４】
ヨークハウジング１の内部であって、周方向に交互に配置された第１永久磁石ＭＧ１と第２永久磁石ＭＧ２の内側には、電機子２が配置されている。
図１に示すように、電機子２は、ヨークハウジング１の円筒部１１に中心軸線上に配置された回転軸２１と、その回転軸２１に一体回転可能に固着された電機子コア２２と、その電機子コア２２のティース２３に巻回された巻線２４と、電機子コア２２に隣接し回転軸２１に一体回転可能に固定された整流子２５を備えている。
【００２５】
回転軸２１は、その基部がヨークハウジング１の蓋部１２に中央部内側に設けた軸受２６にて回転可能に支持されている。電機子コア２２は、回転軸２１であってその回転軸２１の軸方向基端側に一体回転可能に外嵌されている。
【００２６】
電機子コア２２は、回転軸２１の中心軸線Ｏを中心に径方向外側に放射状に延びる９個のティース２３（図１では２個のみ表示）を有している。９個のティース２３は、周方向に４０度の等ピッチに形成されている。そして、９個のティース２３の径方向先端面は、円筒部１１の内周面に配置された第１永久磁石ＭＧ１と第２永久磁石ＭＧ２と相対向する。そして、各ティース２３には、巻線２４が巻回されている。
【００２７】
整流子２５は、電機子コア２２に隣接して回転軸２１に固着され、同電機子コア２２とともに回転軸２１と一体回転する。整流子２５は、その外周面に複数個の整流子片２７が設けられている。整流子片２７の数は、電機子２のティース２３の数の２倍の数に設定されている。従って、ティース２３が９個であることから、整流子片２７の数は１８個となっている。
【００２８】
各整流子片２７の軸線方向の電機子コア２２側端部には、径方向外側に折り返し形成されたライザ２８がそれぞれ一体形成されている。各整流子片２７のライザ２８には、ティース２３に巻回した巻線２４が掛け止めされている。そして、巻線２４は、その掛け止めされた部分がヒュージングにてライザ２８に固定されることで、そのライザ２８を有する整流子片２７と電気的に接続されている。
【００２９】
図１に示すように、ヨークハウジング１の円筒部１１の開口部側には、ブラシ装置３が配置され、ブラシ装置３を構成するブラシホルダ３０が円筒部１１の開口部を閉塞している。
【００３０】
図４に示すように、ブラシホルダ３０は、絶縁性の合成樹脂材料から形成され、環状のベースプレート３１と、ベースプレート３１の内側面ｆ１に一体形成された第１〜第４ブラシボックス３２ａ〜３２ｄ（図１では、総称して符号を「３２」と付している）と、ベースプレート３１の外側面ｆ２に一体形成された端子保持部３３を有している。
【００３１】
ここで、ベースプレート３１の電機子コア２２側の円環状側面を内側面ｆ１といい、ベースプレート３１の反電機子コア２２側の円環状側面を外側面ｆ２という。
図２〜図５に示すように、ブラシホルダ３０のベースプレート３１は、円環板状をなしその外周面が、ヨークハウジング１の円筒部１１の開口部の内周面１１ａに嵌着固定されている。ベースプレート３１は、その中央部に貫通穴３４が形成されている。貫通穴３４は、その内径が回転軸２１の外径より大きく形成され、図１に示すように、同回転軸２１の出力端側が貫通するようになっている。貫通穴３４を貫通した回転軸２１の出力端側は、図示しない軸受にて回転可能に支持されている。
【００３２】
図２及び図３に示すように、ベースプレート３１の内側面ｆ１には、４個の第１〜第４ブラシボックス３２ａ〜３２ｄが周方向に設けられている。第１〜第４ブラシボックス３２ａ〜３２ｄは、周方向時計回り方向に、第１ブラシボックス３２ａ→第２ブラシボックス３２ｂ→第３ブラシボックス３２ｃ→第４ブラシボックス３２ｄの順に６０度の間隔を開けて形成されている。つまり、第１〜第４ブラシボックス３２ａ〜３２ｄは、図３においてベースプレート３１の上半分に形成される。従って、ベースプレート３１の下半分、すなわち、第１ブラシボックス３２ａと第４ブラシボックス３２ｄとの間隔は１８０度の間隔が開けられている。
【００３３】
そして、６０度の間隔を開けて設けられた第１〜第４ブラシボックス３２ａ〜３２ｄの径方向内側で形成される空間には、図１に示すように、整流子２５が配置されるようになっている。
【００３４】
図４及び図５に示すように、第１〜第４ブラシボックス３２ａ〜３２ｄは、ともに径方向に延びる四角筒状なしている。第１〜第４ブラシボックス３２ａ〜３２ｄは、内側面ｆ１から軸方向に立設され、図５において周方向時計回り方向の第１側壁Ｗ１と、反時計回り方向の第２側壁Ｗ２と、その第１及び第２側壁Ｗ１，Ｗ２の先端辺間を連結する天井壁Ｗ３と備えている。
【００３５】
従って、第１〜第４ブラシボックス３２ａ〜３２ｄは、内側面ｆ１、一対の壁Ｗ１，Ｗ２及び天井壁Ｗ３によって、断面四角形状のブラシ収容室がそれぞれ形成する。
第１〜第４ブラシボックス３２ａ〜３２ｄの一対の第１及び第２側壁Ｗ１，Ｗ２は、周方向に離間するとともに互いに平行に立設されている。ここで、図２及び図５に示しように、各ブラシボックス３２ａ〜３２ｄにおいて、回転軸２１の中心軸線Ｏから径方向に延び一対の第１及び第２側壁Ｗ１，Ｗ２の中間位置を通過するそれぞれの直線をそれぞれ第１〜第４中心線Ｌ１〜Ｌ４とすると、隣り合う中心線が、中心軸線Ｏを中心になす角度はそれぞれ６０度となる。
【００３６】
従って、各ブラシボックス３２ａ〜３２ｄのブラシ収容室は、中心軸線Ｏを中心に径方向に延び、その径方向に延びる中心位置（第１〜第４中心線Ｌ１〜Ｌ４）が周方向に６０度の間隔で配置されている。ただし、第１ブラシボックス３２ａ（第１中心線Ｌ１）と第４ブラシボックス３２ｄ（第４中心線Ｌ４）との周方向の間隔は１８０度となる。
【００３７】
図４に示すように、第１及び第３ブラシボックス３２ａ，３２ｃの第１側壁Ｗ１、及び、第２及び第４ブラシボックス３２ｂ，３２ｄの第２側壁Ｗ２には、径方向外側端から径方向内側に向かってガイド凹部３５が切り欠き形成されている。
【００３８】
第１〜第４ブラシボックス３２ａ〜３２ｄの一対の第１及び第２側壁Ｗ１，Ｗ２の径方向外側端部には、一対の係止片３６が径方向外側に向かって延出形成されている。一対に係止片３６は、先端に周方向に互いに離間する方向に爪を有し、図１に示す、各ブラシボックス３２ａ〜３２ｄの径方向外側の開口部を閉塞するキャップＣＰを係止し装着する。
【００３９】
第１〜第４ブラシボックス３２ａ〜３２ｄの天井壁Ｗ３は、電機子コア２２側の側面である壁面が軸線方向に直交する平面であって、内側面ｆ１からの高さ（軸線方向の長さ）が等しくなっている。
【００４０】
第２及び第４ブラシボックス３２ｂ，３２ｄの天井壁Ｗ３の壁面には、第１規制片ＳＴ１が形成されている。第１規制片ＳＴ１は、天井壁Ｗ３の壁面における径方向外側端部に周方向全幅にわたって形成されていて、その壁面から突出した後に径方向外側に延びて鉤状に形成されている。
【００４１】
第１及び第３ブラシボックス３２ａ，３２ｃの天井壁Ｗ３の壁面には、第２規制片ＳＴ２が形成されている。第２規制片ＳＴ２は、天井壁Ｗ３の壁面における径方向中間位置に形成されている。第２規制片ＳＴ２は、天井壁Ｗ３の壁面から突出した後に径方向外側に延びて鉤状に形成されている。
【００４２】
ここで、第１ブラシボックス３２ａの第２規制片ＳＴ２は、天井壁Ｗ３の壁面における径方向中間位置において、周方向時計回り方向寄りに形成されている。また、第３ブラシボックス３２ｃの第２規制片ＳＴ２は、天井壁Ｗ３の壁面における径方向中間位置において、周方向全幅にわたって形成されている。
【００４３】
また、ベースプレート３１において、第１ブラシボックス３２ａと第２ブラシボックス３２ｂの中間位置に、内側面ｆ１から第１支持規制台４１が第１及び第３ブラシボックス３２ａ，３２ｃの天井壁Ｗ３の高さ位置まで突出形成されている。第１支持規制台４１は、貫通穴３４の開口端から径方向外側に向かって形成され、天井壁Ｗ３の壁面と同一平面をなす面には、第１突起４１ａが形成されている。第１突起４１ａは、貫通穴３４の中心軸（回転軸２１の中心軸線Ｏ）を中心とする同一円周線上にある第２及び第４ブラシボックス３２ｂ，３２ｄの第１規制片ＳＴ１と同じ円周線上位置に形成されている。
【００４４】
同様に、ベースプレート３１において、第３ブラシボックス３２ｃと第４ブラシボックス３２ｄの中間位置に、内側面ｆ１から第２支持規制台４２が第３及び第４ブラシボックス３２ｃ，３２ｄの天井壁Ｗ３の高さ位置まで突出形成されている。第２支持規制台４２は、貫通穴３４の開口端から径方向外側に向かって形成され、天井壁Ｗ３の壁面と同一平面をなす面には、第２突起４２ａが形成されている。第２突起４２ａは、貫通穴３４の中心軸（回転軸２１の中心軸線Ｏ）を中心とする同一円周線上にある第１及び第３ブラシボックス３２ａ，３２ｃの第２規制片ＳＴ２と同じ円周線上位置に形成されている。
【００４５】
さらに、ベースプレート３１において、第２ブラシボックス３２ｂと第３ブラシボックス３２ｃの中間位置に、内側面ｆ１から支承台４３が第２及び第３ブラシボックス３２ｂ，３２ｃの天井壁Ｗ３の高さ位置まで突出形成されている。支承台４３は、貫通穴３４の開口端から径方向外側に向かって形成され、その天井壁Ｗ３の壁面と同一平面をなす面の径方向外側及び内側両端部には、図２及び図３に示すように、外れ止め部材４４が取付部４５にて連結されるようになっている。
【００４６】
さらにまた、図４及び図５に示すように、ベースプレート３１において、下半分の第４ブラシボックス３２ｄと第１ブラシボックス３２ａの中間位置には、貫通穴３４の開口端から径方向外側に向かって、コンデンサ載置台５０、一対の第１及び第２電源端子支持穴５１，５２、補助端子固定台５３に順に形成されている。
【００４７】
詳述すると、回転軸２１の中心軸線Ｏから第４ブラシボックス３２ｄと第１ブラシボックス３２ａの中間位置を径方向に通過する直線を基準線Ｌｋとすると、この基準線Ｌｋ上にコンデンサ載置台５０の中間位置が位置するようになっている。同様に、この基準線Ｌｋ上に、第１電源端子支持穴５１と第２電源端子支持穴５２の中間位置が位置するとともに、補助端子固定台５３の中間位置が位置するようになっている。
【００４８】
尚、この基準線Ｌｋに対して、周方向時計回り方向の９０度位置に第１中心線Ｌ１が位置し、反対に、周方向反時計回り方向の９０度位置に第４中心線Ｌ４が位置することになる。
【００４９】
コンデンサ載置台５０は、基準線Ｌｋ上の位置に軸線方向に延出形成された仕切壁５５を有し、その仕切壁５５にて径方向に延びる２つの載置部５０ａ，５０ｂが形成される。
コンデンサ載置台５０の径方向外側のベースプレート３１の内側面ｆ１には、軸方向から見て長方形の第１電源端子支持穴５１と第２電源端子支持穴５２が、基準線Ｌｋを対称軸として対称に貫通形成されている。
【００５０】
また、第１及び第２電源端子支持穴５１，５２は、ベースプレート３１の外側面ｆ２おいて、その外側面ｆ２に軸線方向に延出形成した端子保持部３３と対向する位置に形成されている。そして、第１及び第２電源端子支持穴５１，５２は、端子保持部３３内を通って同端子保持部３３の先端面まで貫通している。
【００５１】
第１電源端子支持穴５１には、図８に示す第１電源端子６１が貫挿される。第１電源端子６１は、その先端部が端子保持部３３の先端面から突出するまで貫挿されている。
第２電源端子支持穴５２には、図９に示す第２電源端子６２が貫挿される。第２電源端子６２は、その先端部が端子保持部３３の先端面から突出するまで貫挿されている。
【００５２】
図８及び図９に示すように、第１及び第２電源端子６１，６２は、共に板材をクランク状に折り曲げ形成され、それぞれ第１及び第２電源端子支持穴５１，５２に貫挿される貫挿部６１ａ，６２ａ、内側面ｆ１に当接する当接部６１ｂ，６２ｂ、内側面ｆ１から軸線方向に立設する端子部６１ｃ，６２ｃを有する。
【００５３】
第１及び第２電源端子６１，６２の貫挿部６１ａ，６２ａは、共に同じに長さになっている。従って、端子保持部３３の先端面から突出する第１及び第２電源端子６１，６２の先端部は同じ長さとなる。
【００５４】
また、貫挿部６１ａ，６２ａの幅狭の両側面には、切り返し６１ｄ，６２ｄが形成されている。切り返し６１ｄ，６２ｄは、貫挿部６１ａ，６２ａをそれぞれ第１及び第２電源端子支持穴５１，５２に貫挿する時、第１及び第２電源端子支持穴５１，５２の内側面に圧接しながら貫挿される。そして、貫挿した後に、第１及び第２電源端子６１，６２を引き抜こうとしても切り返し６１ｄ，６２ｄが第１及び第２電源端子支持穴５１，５２の内側面に食い込み抜けないようにしている。
【００５５】
第１及び第２電源端子６１，６２の当接部６１ｂ，６２ｂは、共に同じに長さになっている。そして、貫挿部６１ａ，６２ａを第１及び第２電源端子支持穴５１，５２に貫挿した状態で、当接部６１ｂ，６２ｂは、ベースプレート３１の内側面ｆ１に当接する。
【００５６】
第１及び第２電源端子６１，６２の端子部６１ｃ，６２ｃは、図８及び図９に示すように、第２電源端子６２の端子部６２ｃの長さが第１電源端子６１の端子部６１ｃの長さより長く形成されている。そして、両端子部６１ｃ，６２ｃの先端には同じ深さの切り込み６１ｅ，６２ｅがそれぞれ形成されている。従って、第２電源端子６２の端子部６２ｃの切り込み６２ｅが、第１電源端子６１の端子部６１ｃの切り込み６１ｅよりも高い位置にある。
【００５７】
なお、第１及び第２電源端子６１，６２を第１及び第２電源端子支持穴５１，５２に貫挿する際、第１及び第２電源端子６１，６２の端子部６１ｃ，６２ｃが互いに離間するように貫挿するようにしている。
【００５８】
第１及び第２電源端子支持穴５１，５２の径方向外側のベースプレート３１の内側面ｆ１には、補助端子固定台５３が形成されている。補助端子固定台５３は、補助電極端子固定孔５７が、基準線Ｌｋを対称軸として対称に２つ形成されている。２つの補助電極端子固定孔５７は、ベースプレート３１の外側面ｆ２まで貫通しない孔であって、軸方向から見て長方形の孔である。
【００５９】
そして、一対の補助電極端子固定孔５７には、図１０に示す補助電源端子７０が挿入固定される。補助電源端子７０は、板状のベース部７０ａの一側（図１０では下側）に一対の補助電極端子固定孔５７に嵌入される固定足部７０ｂを有している。
【００６０】
両固定足部７０ｂの幅狭の両側面には、切り返し７０ｃが形成されている。切り返し７０ｃは、固定足部７０ｂを補助電極端子固定孔５７に嵌入する時、補助電極端子固定孔５７の内側面に圧接しながら嵌入される。そして、嵌入した後に、補助電源端子７０を引き抜こうとしても切り返し７０ｃが補助電極端子固定孔５７の内側面に食い込み抜けないようにしている。
【００６１】
一方、補助電源端子７０のベース部７０ａの他側（図１０では上側）に第１及び第２補助端子部７１，７２が延出形成されている。第１補助端子部７１は第１電源端子６１寄りに形成され、第２補助端子部７２は第２電源端子６２寄りに形成されている。第１補助端子部７１の幅広側の面が、第１電源端子６１の端子部６１ｃの幅広の面に対して直交するとともに、第２補助端子部７２の幅広側の面が、第２電源端子６２の端子部６２ｃの幅広の面に対して直交するようになっている。
【００６２】
図１０に示すように、第１補助端子部７１の軸方向の長さが第２補助端子部７２の長さよりも長く形成されている。このとき、第１補助端子部７１の先端の高さ位置が、前記した第２電源端子６２の端子部６２ｃの高さ位置と一致させている。同様に、第２補助端子部７２の先端の高さ位置が、前記した第１電源端子６１の端子部６１ｃの高さ位置と一致させている。
【００６３】
両補助端子部７１，７２の先端には同じ深さの切り込み７１ａ，７２ａがそれぞれ形成されている。従って、第１補助端子部７１の切り込み７１ａが、第２補助端子部７２の切り込み７２ａよりも高い位置にある。そして、第１補助端子部７１の切り込み７１ａと第２電源端子６２の切り込み６２ｅは同じ高さに、第２補助端子部７２の切り込み７２ａと第１電源端子６１の切り込み６１ｅは同じ高さにしている。
【００６４】
また、第１補助端子部７１と第２補助端子部７２の中間位置（基準線Ｌｋ上の位置）におけるベース部７０ａの他側には、付勢片７３が延出形成されている。付勢片７３は、図１１に示すように上方に延出形成された後、径方向外側に屈曲形成され、外側に膨らんだ後に先端を径方向内側に屈曲させている。
【００６５】
この付勢片７３の径方向外側への膨みは、ベースプレート３１の外周面より外まで張り出させている。これによって、ベースプレート３１をヨークハウジング１の円筒部１１に嵌着させた時、付勢片７３は、円筒部１１の内周面１１ａに当接し、図１１に２点鎖線で示すように撓み、円筒部１１の内周面１１ａに対して圧接保持されるようになっている。
【００６６】
上記のように構成されたブラシホルダ３０について、ベースプレート３１の内側面ｆ１に形成された第１及び第２ブラシボックス３２ａ，３２ｂは、基準線Ｌｋを基準に周方向時計回り方向側に９０度、１５０度位置に順番に配置されていることになる。また、第３及び第４ブラシボックス３２ｃ，３２ｄは、基準線Ｌｋを基準に周方向反時計回り方向側に１５０度、９０度位置に順番に配置されていることになる。
【００６７】
そして、ベースプレート３１の内側面ｆ１に形成された第１〜第４ブラシボックス３２ａ〜３２ｄには、それぞれ陽極用のブラシである第１ブラシＢ１又は陰極用のブラシである第２ブラシＢ２のいずれかが収容される。
【００６８】
詳述すると、第１及び第３ブラシボックス３２ａ，３２ｃには、それぞれ第１ブラシＢ１が収容される。第２及び第４ブラシボックス３２ｂ，３２ｄには、それぞれ第２ブラシＢ２が収容される。
【００６９】
これによって、第１ブラシＢ１と第２ブラシＢ２は、回転軸２１を挟んで相対向するように配置される。
第１〜第４ブラシボックス３２ａ〜３２ｄに対応する第１ブラシＢ１又は第２ブラシＢ２がそれぞれ挿入されると、第１〜第４ブラシボックス３２ａ〜３２ｄには、その径方向外側の開口部から圧縮コイルばねＳＰ（図１参照）が挿入される。次に、その径方向外側の端部にキャップＣＰが装着される。そして、第１ブラシＢ１及び第２ブラシＢ２は、それぞれが挿入された第１〜第４ブラシボックス３２ａ〜３２ｄ内に圧縮コイルばねＳＰを縮設して径方向内側に付勢されるようになっている。その結果、第１ブラシＢ１及び第２ブラシＢ２は、それぞれが挿入された第１〜第４ブラシボックス３２ａ〜３２ｄの一対の側壁Ｗ１，Ｗ２に案内されながら径方向内側に移動可能となり、摺接する整流子片２７に摺接可能に圧接する。
【００７０】
そして、これら２個ずつの第１ブラシＢ１と第２ブラシＢ２と摺接する整流子片２７を介して第１ブラシＢ１と第２ブラシＢ２から巻線２４に電流が供給されるようになっている。
【００７１】
また、第１ブラシＢ１及び第２ブラシＢ２は、それぞれ第１ピッグテールＰＴ１及び第２ピッグテールＰＴ２を設けている。そして、第１ブラシＢ１及び第２ブラシＢ２が対応するブラシボックス３２ａ〜３２ｄに挿入されるとき、第１ピッグテールＰＴ１及び第２ピッグテールＰＴ２は、ブラシボックス３２ａ〜３２ｄに設けたガイド凹部３５を通ってブラシボックス３２ａ〜３２ｄの外部に引き出されているようになっている。
【００７２】
また、図２及び図３に示すように、ブラシ装置３は、第１電源端子６１と３個の第１ブラシＢ１とを電気的に接続する第１導電部材８０と、第２電源端子６２と第２ブラシＢ２とを電気的に接続する第２導電部材９０とを備えている。
【００７３】
第１導電部材８０は、１本の基礎線材から形成されている。本実施形態では、基礎線材は、断面円形状の導線の外周を絶縁性の絶縁被膜にて被覆してなる被覆導線（絶縁電線）である。第１導電部材８０は、１本の基礎線材を湾曲及び屈曲して形成されており、第１円弧部８０ａと、第１直線部８０ｂと、第１チョークコイル８０ｃと、第１接続部８０ｄとを備えている。
【００７４】
第１導電部材８０は、円弧状に湾曲形成された第１円弧部８０ａが、図２及び図３に示すように、第１支持規制台４１、第２ブラシボックス３２ｂ、支承台４３，第３ブラシボックス３２ｃ、第２支持規制台４２に載置される。このとき、第１円弧部８０ａは、第１支持規制台４１に形成した第１突起４１ａ及び第２ブラシボックス３２ｂに形成した第１規制片ＳＴ１と係合するように架けわたされるようになっている。なお、第１円弧部８０ａの周方向反時計回り方向の端部は、第１ブラシボックス３２ａの近傍位置まで延出している。
【００７５】
第１円弧部８０ａの周方向時計回り方向の端部は、第１直線部８０ｂが延出形成されている。第１直線部８０ｂは、第４ブラシボックス３２ｄの天井壁Ｗ３上を第１規制片ＳＴ１に係合されながら第４ブラシボックス３２ｄの時計回り方向側まで配置される。
【００７６】
第１導電部材８０の第１チョークコイル８０ｃは、第４ブラシボックス３２ｄの時計回り方向側まで配置された端部から径方向内側に向かって螺旋状に導線を巻いて形成している。従って、第１チョークコイル８０ｃは第４ブラシボックス３２ｄに沿って径方向に形成され配置されている。
【００７７】
第１導電部材８０の第１接続部８０ｄは、第１チョークコイル８０ｃの径方向内側端部から第１電源端子６１の端子部６１ｃに向かって折り曲げ形成される。
このとき、第１接続部８０ｄの端部８０ｅは、径方向外側に折り曲げ形成され、第１電源端子６１の端子部６１ｃの周方向反時計回り方向の側面に当接するように配置される。この第１接続部８０ｄの端部８０ｅは、第１チョークコイル８０ｃが持つ弾性力にて周方向反時計回り方向への弾性力が付与され、端子部６１ｃの反時計回り方向の側面に対して弾圧した状態で当接している。
【００７８】
このように配置された第１導電部材８０に対して、第１及び第３ブラシボックス３２ａ，３２ｃに収容された各第１ブラシＢ１の第１ピッグテールＰＴ１が溶接にて電気的に接続される。そして、第１導電部材８０の端部８０ｅが、第１電源端子６１の端子部６１ｃと溶接にて電気的に接続することによって、各第１ブラシＢ１は、第１電源端子６１と電気的に接続される。
【００７９】
第２導電部材９０は、第１導電部材８０と同じ１本の基礎線材から形成されている。第２導電部材９０は、１本の基礎線材を湾曲及び屈曲して形成されており、第２円弧部９０ａと、第２直線部９０ｂと、第２チョークコイル９０ｃと、第２接続部９０ｄとを備えている。
【００８０】
第２導電部材９０は、円弧状に湾曲形成された第２円弧部９０ａが、図２及び図３に示すように、第２支持規制台４２、第３ブラシボックス３２ｃ、支承台４３，第２ブラシボックス３２ｂ、第１支持規制台４１に載置される。このとき、第２円弧部９０ａは、第２支持規制台４２に形成した第２突起４２ａ及び第３ブラシボックス３２ｃに形成した第２規制片ＳＴ２と係合するように架けわたされるようになっている。なお、第２円弧部９０ａの周方向時計回り方向の端部は、第４ブラシボックス３２ｄの近傍位置まで延出している。
【００８１】
第２円弧部９０ａの周方向反時計回り方向の端部は、第２直線部９０ｂが延出形成されている。第２直線部９０ｂは、第１ブラシボックス３２ａの天井壁Ｗ３上を第２規制片ＳＴ２に係合されながら第１ブラシボックス３２ａと第１ブラシボックス３２ａの中間位置の反時計回り側まで配置される。
【００８２】
第２導電部材９０の第２チョークコイル９０ｃは、第１ブラシボックス３２ａの反時計回り方向側まで配置された端部から径方向内側に向かって螺旋状に導線を巻いて形成している。従って、第２チョークコイル９０ｃは第１ブラシボックス３２ａに沿って径方向に形成され配置されている。
【００８３】
第２導電部材９０の第２接続部９０ｄは、第２チョークコイル９０ｃの径方向内側端部から第２電源端子６２の端子部６２ｃに向かって折り曲げ形成される。
このとき、第２接続部９０ｄの端部９０ｅは、径方向外側に折り曲げ形成され、第２電源端子６２の端子部６２ｃの周方向時計回り方向の側面に当接するように配置される。この第２接続部９０ｄの端部９０ｅは、第２チョークコイル９０ｃが持つ弾性力にて周方向時計回り方向への弾性力が付与され、端子部６１ｃの反時計回り方向の側面に対して弾圧した状態で当接している。
【００８４】
このように配置された第２導電部材９０に対して、第２及び第４ブラシボックス３２ｂ，３２ｄに収容された各第２ブラシＢ２の第２ピッグテールＰＴ２が溶接にて電気的に接続される。そして、第２導電部材９０の端部９０ｅが、第２電源端子６２の端子部６２ｃと溶接にて電気的に接続することによって、各第２ブラシＢ２は、第２電源端子６２と電気的に接続される。
【００８５】
そして、第１導電部材８０及び第２導電部材９０の配線が完了すると、支承台４３に外れ止め部材４４を固定する。
図３に示すように、基準線Ｌｋ上に設けられたコンデンサ載置台５０には、第１コンデンサＣａと第２コンデンサＣｂが載置される。詳述すると、コンデンサ載置台５０において、第４ブラシボックス３２ｄ側の載置部５０ａには、第１コンデンサＣａが載置され、第１ブラシボックス３２ａ側の載置部５０ｂには、第２コンデンサＣｂが載置されている。
【００８６】
図１２（ａ）（ｂ）に示すように、第１及び第２コンデンサＣａ，Ｃｂは、その本体形状が偏平の四角形状をなしている。
第１コンデンサＣａは、図１２（ａ）に示すように、偏平矩形状の本体部と、その最も幅広の偏平面ｆａ間を繋ぐ幅狭の一側面（図２において径方向外側の面）の上下両側（図２においては軸線方向）から引き出された電源端子側リード線Ｃａ１及び補助電源端子側リード線Ｃａ２とから構成されている。
【００８７】
図１２（ａ）において、電源端子側リード線Ｃａ１は下側に設けられ、その中間位置から図１２（ａ）において右側に屈曲形成されている。また、補助電源端子側リード線Ｃａ２は上側に設けられ、全長が図１２（ａ）において前方に向かって形成されている。
【００８８】
このように形成された、第１コンデンサＣａを載置部５０ａに載置するとき、偏平形状の第１コンデンサＣａの偏平面ｆａが、軸線方向に延びる中心軸線と径方向に延びる放射線とで形成される面と平行になるように配置する。しかも、電源端子側リード線Ｃａ１が内側面ｆ１側に位置するように第１コンデンサＣａを載置部５０ａに載置する。
【００８９】
これによって、電源端子側リード線Ｃａ１が、第１電源端子６１の端子部６１ｃ側を向き、補助電源端子側リード線Ｃａ２が、補助電源端子７０の第１補助端子部７１側を向く。そして、電源端子側リード線Ｃａ１を端子部６１ｃの切り込み６１ｅに挟入するとともに、補助電源端子側リード線Ｃａ２を第１補助端子部７１の切り込み７１ａに挟入し、これら挟入にて電気的に接続する。
【００９０】
これによって、第１コンデンサＣａは、第１電源端子６１と補助電源端子７０（ヨークハウジング１）との間において電気的に接続される。
一方、第２コンデンサＣｂは、図１２（ｂ）に示すように、偏平矩形状の本体部と、その最も幅広の偏平面ｆｂ間を繋ぐ幅狭の一側面（図２において径方向外側の面）の上下両側（図２においては軸線方向）から引き出された電源端子側リード線Ｃｂ１及び補助電源端子側リード線Ｃｂ２とから構成されている。
【００９１】
図１２（ｂ）において、電源端子側リード線Ｃｂ１は上側に設けられ、その中間位置から図１２（ｂ）において左側に屈曲形成されている。また、補助電源端子側リード線Ｃｂ２は下側に設けられ、全長が図１２（ｂ）において前方に向かって形成されている。
【００９２】
このように形成された、第２コンデンサＣｂを載置部５０ｂに載置するとき、偏平形状の第２コンデンサＣｂの偏平面ｆｂが、軸線方向に延びる中心軸線と径方向に延びる放射線とで形成される面と平行になるように配置する。しかも、補助電源端子側リード線Ｃｂ２が内側面ｆ１側に位置するように第２コンデンサＣｂを載置部５０ｂに載置する。
【００９３】
これによって、電源端子側リード線Ｃｂ１が、第２電源端子６２の端子部６２ｃ側を向き、補助電源端子側リード線Ｃｂ２が、補助電源端子７０の第２補助端子部７２側を向く。そして、電源端子側リード線Ｃｂ１を端子部６２ｃの切り込み６２ｅに挟入するとともに、補助電源端子側リード線Ｃｂ２を第２補助端子部７２の切り込み７２ａに挟入し、これら挟入にて電気的に接続する。
【００９４】
なお、２つのコンデンサＣａ，Ｃｂは、本体部及びリード線引出し部（リード線Ｃａ１，Ｃａ２，Ｃｂ１，Ｃｂ２）とも同一形状である。つまり、第２コンデンサＣｂは、第１電源端子６１と第１補助端子部７１に接続された第１コンデンサＣａに対し、電源端子側リード線Ｃｂ１及び補助電源端子側リード線Ｃｂ２の引き出し方向を回転軸として半回転した状態でが、第２電源端子６２と第２補助端子部７２に接続される。
【００９５】
これによって、第２コンデンサＣｂは、第２電源端子６２と補助電源端子７０（ヨークハウジング１）との間において電気的に接続される。
次に、上記のように構成したブラシ装置３の作用について説明する。
【００９６】
ブラシホルダ３０のベースプレート３１の内側面ｆ１の上半分に、第１〜第４ブラシボックス３２ａ〜３２ｄを周方向に６０度の間隔で配置し形成した。また、下半分の第１ブラシボックス３２ａと第４ブラシボックス３２ｄの間であって、回転軸２１の中心軸線Ｏから両ブラシボックス３２ａ，３２ｄの中間位置を径方向に延びる基準線Ｌｋを対称軸として対称位置に第１電源端子６１と第２電源端子６２を設けた。
【００９７】
これによって、図３において、ベースプレート３１の左半分に、基準線Ｌｋを基準として周方向時計回り方向側（第２電源電極６２側）の９０度位置に第１ブラシボックス３２ａ、１５０度位置に第２ブラシボックス３２ｂが相対配置されるようにした。
【００９８】
また、図３において、ベースプレート３１の右半分に、基準線Ｌｋを基準として周方向反時計回り方向側（第１電源電極６１側）の９０度位置に第４ブラシボックス３２ｄ、１５０度位置に第３ブラシボックス３２ｃが相対配置されるようにした。
【００９９】
そして、第１及び第３ブラシボックス３２ａ，３２ｃに、第１ブラシＢ１をそれぞれ収容するとともに、第２及び第４ブラシボックス３２ｂ，３２ｄに第２ブラシＢ２をそれぞれ収容した。
【０１００】
そして、この配置状態で、２つの第１ブラシＢ１は、第１導電部材８０を介して第１電源端子６１に接続されるとともに、２つの第２ブラシＢ２は、第２導電部材９０を介して第２電源端子６２に接続される。
【０１０１】
このとき、図３において、ベースプレート３１の上側半分に第１〜第４ブラシボックス３２ａ〜３２ｄがまとまって配置されている。そのため、第１及び第２ブラシＢ１，Ｂ２の収容作業が容易となるとともに、第１及び第２導電部材８０，９０のそれぞれの溶接等の接続作業が容易となる。また、図３において、ベースプレート３１の下側半分に第１及び第２電源端子６１，６２、第１及び第２コンデンサＣａ，Ｃｂ、補助電源端子７０がまとまって配置されることから、その装着作業が容易となる。
【０１０２】
そして、第１及び第２電源端子６１，６２から供給される電源電圧が、２つの第１ブラシＢ１と２つの第２ブラシＢ２によって、整流子２５を介して電機子コア２２のティース２３に巻回した巻線２４に印加される。
【０１０３】
また、本実施形態のブラシ装置３は、第１ブラシＢ１が１つ、第２ブラシＢ２が１つ、合計２つのブラシを使用するブラシ装置として使用できる。その場合には、第１ブラシボックス３２ａと第４ブラシボックス３２ｄを使用する。
【０１０４】
つまり、基準線Ｌｋを基準として周方向時計回り方向側の９０度の位置にある第１ブラシボックス３２ａが使用されるとともに、基準線Ｌｋを基準として周方向反時計回り方向側の９０度の位置にある第４ブラシボックス３２ｄが使用される。
【０１０５】
そして、第１ブラシボックス３２ａに第１ブラシＢ１を収容するとともに、第４ブラシボックス３２ｄに第２ブラシＢ２を収容する。
この配置状態で、１つの第１ブラシＢ１は、上記した第１導電部材８０を介して第１電源端子６１に接続されるとともに、１つの第２ブラシＢ２は、上記した第２導電部材９０を介して第２電源端子６２に接続される。
【０１０６】
これによって、第１及び第２電源端子６１，６２から供給される電源電圧が、１つの第１ブラシＢ１と１つの第２ブラシＢ２によって、整流子２５を介して電機子コア２２のティース２３に巻回した巻線２４に印加される。
【０１０７】
この場合、第１ブラシＢ１と第２ブラシＢ２の離間距離が長く、第１及び第２ブラシＢ１，Ｂ２と整流子片２７の摺接による発熱温度がこもることがなく放熱されやすい。その結果、ブラシ発熱によって許容温度に近い状態で直流モータＭは使用されることがない。また、第１ブラシＢ１と第２ブラシＢ２がそれぞれ１つずつとなるため、ブラシが減る分コストダウンを図ることができる。
【０１０８】
また、第１導電部材８０と第２導電部材９０は、それぞれ反対の方向から対応する第１電源端子６１と第２電源端子６２に導き出されて接続される。そのため、その接続作業は電気的に離間した状態での作業となり、第１導電部材８０と第２導電部材９０間の絶縁性が十分に確保された状態でそれぞれ第１及び第２電源端子６１，６２との溶接作業が容易に行える。
【０１０９】
このとき、第１及び第２導電部材８０，９０の端部８０ｅ，９０ｅは、第１及び第２チョークコイル８０ｃ，９０ｃが持つ弾性力にて第１及び第２電源端子６１，６２の端子部６１ｃ，６２ｃの側面に弾圧した状態でそれぞれ当接している。その結果、端部８０ｅ，９０ｅが端子部６１ｃ，６２ｃに確実に固定され溶接時の溶接作業が容易となる。
【０１１０】
また、端部８０ｅ，９０ｅに弾性力を付与する第１及び第２チョークコイル８０ｃ，９０ｃは、第１コンデンサＣａ，Ｃｂと協働して第１及び第２ブラシＢ１，Ｂ２が整流子片２７を摺接する際に発生する高周波ノイズを抑制することができる。
【０１１１】
次に、上記実施形態の効果を以下に記載する。
（１）本実施形態によれば、基準線Ｌｋを基準として周方向時計回り方向側の９０度及び１５０度の位置にある第１及び第２ブラシボックス３２ａ，３２ｂと、基準線Ｌｋを基準として周方向反時計回り方向側の９０度及び１５０度の位置にある第４及び第３ブラシボックス３２ｄ，３２ｃを使用する。そして、第１及び第３ブラシボックス３２ａ，３２ｃに第１ブラシＢ１をそれぞれ収容するとともに、第２及び第４ブラシボックス３２ｂ，３２ｄに第２ブラシＢ２をそれぞれ収容することによって、第１ブラシＢ１が２つ、第２ブラシＢ２が２つ、合計４つのブラシを使用するブラシ装置として共用できる。
【０１１２】
しかも、この場合、ベースプレート３１の上側半分に第１〜第４ブラシボックス３２ａ〜３２ｄが、下側半分の基準線Ｌｋを挟んだ３０度以内に第１及び第２電源端子６１，６２、第１及び第２コンデンサＣａ，Ｃｂ、補助電源端子７０がそれぞれまとまって配置させることができる。
【０１１３】
そのため、第１及び第２ブラシＢ１，Ｂ２の収容作業が容易となるとともに、第１及び第２導電部材８０，９０のそれぞれの溶接等の接続作業が容易となる。
（２）本実施形態によれば、基準線Ｌｋを基準として周方向時計回り方向側の９０度の位置にある第１ブラシボックス３２ａと基準線Ｌｋを基準として周方向反時計回り方向側の９０度の位置にある第４ブラシボックス３２ｄを使用する。そして、第１ブラシボックス３２ａに第１ブラシＢ１を収容するとともに、第４ブラシボックス３２ｄに第２ブラシＢ２を収容することによって、第１ブラシＢ１が１つ、第２ブラシＢ２が１つ、合計２つのブラシを使用するブラシ装置として共用できる。
【０１１４】
この場合、第１ブラシＢ１と第２ブラシＢ２の離間距離が長く、第１及び第２ブラシＢ１，Ｂ２と整流子片２７の摺接による発熱温度が放熱されやすいため、ブラシ発熱によって許容温度に近い状態で直流モータＭは使用されることがない。また、第１ブラシＢ１と第２ブラシＢ２がそれぞれ１つずつとなるため、ブラシが減る分コストダウンを図ることができる。
【０１１５】
（３）本実施形態によれば、第１ブラシＢ１が１つ、第２ブラシＢ２が１つ、合計２つのブラシを使用するブラシ装置を兼用することができる。
（４）本実施形態によれば、第１導電部材８０と第２導電部材９０が、それぞれ反対の方向から対応する第１電源端子６１と第２電源端子６２に導き出されて接続される。そのため、その接続作業は電気的に離間した状態での溶接作業となり、第１導電部材８０と第２導電部材９０間の絶縁性が十分に確保され信頼性の高い溶接作業が容易に行える。
【０１１６】
（５）本実施形態によれば、第１及び第２導電部材８０，９０の端部８０ｅ，９０ｅを、第１及び第２電源端子６１，６２の端子部６１ｃ，６２ｃの側面に弾圧した状態で当接するようにしたので、端部８０ｅ，９０ｅが端子部６１ｃ，６２ｃに確実に固定され溶接時の溶接作業を容易にすることできる。
【０１１７】
（６）本実施形態によれば、端部８０ｅ，９０ｅに弾性力を付与する第１及び第２チョークコイル８０ｃ，９０ｃは、第１コンデンサＣａ，Ｃｂと協働して第１及び第２ブラシＢ１，Ｂ２が整流子片２７を摺接する際に発生する高周波ノイズを抑制することができる。
【０１１８】
（７）本実施形態によれば、第１チョークコイル８０ｃは、第４ブラシボックス３２ｄに沿って径方向に設け、第２チョークコイル９０ｃは、第１ブラシボックス３２ａに沿って径方向に設けた。従って、第１及び第２チョークコイル８０ｃ，９０ｃをベースプレート３１の内側面ｆ１の限られたスペースに収容できる。その結果、ブラシ装置３の小型化、ひいては直流モータＭの小型化を実現できる。
【０１１９】
なお、図２〜図５に２点鎖線で示す位置にそれぞれブラシボックスを加え、合計６個のブラシボックスからなるブラシ装置は、本実施形態のブラシ装置３の４つの第１〜第４ブラシボックス３２ａ〜３２ｄの配置位置が共通する。
【０１２０】
即ち、基準線Ｌｋを基準に時計回り方向に３０度の位置と反時計回り方向に３０度の位置にそれぞれその中心位置がくるブラシボックスを加えたブラシ装置は、本実施形態のブラシ装置３の第１〜第４ブラシボックス３２ａ〜３２ｄの配置位置が共通する。
【０１２１】
従って、本実施形態の４つのブラシボックスからなるブラシ装置３と、この６つのブラシボックスからなるブラシ装置とは、４つのブラシボックスの配置位置が共通していることから、ブラシ装置を製造する際の製造設備を共有化することができる。
【符号の説明】
【０１２２】
Ｍ…直流モータ、１…ヨークハウジング、２…電機子、３…ブラシ装置、１１…円筒部、１１ａ…内周面、１２…蓋部、２１…回転軸、２２…電機子コア、２３…ティース、２４…巻線、２５…整流子、２７…整流子片、２８…ライザ、３０…ブラシホルダ、３１…ベースプレート、３２…ブラシボックス、３２ａ〜３２ｄ…第１〜第４ブラシボックス、３３…端子保持部、３４…貫通穴、３５…ガイド凹部、３６…係止片、４１，４２…第１及び第２支持規制台、４１ａ，４２ａ…第１及び第２突起、４３…支承台、４４…外れ止め部材、４５…取付部、５０…コンデンサ載置台、５１，５２…第１及び第２電源端子支持穴、５３…補助端子固定台、５０ａ，５０ｂ…載置部、５５…仕切壁、５７…補助電極端子固定孔、６１，６２…第１及び第２電源端子、６１ａ，６２ａ…貫挿部、６１ｂ，６２ｂ…当接部、６１ｃ，６２ｃ…端子部、６１ｄ，６２ｄ…切り返し、６１ｅ，６２ｅ…切り込み、７０…補助電源端子（給電補助端子）、７０ａ…ベース部、７０ｂ…固定足部、７０ｃ…切り返し、７１，７２…第１及び第２補助端子部、７１ａ，７２ａ…切り込み、７３…付勢片、８０，９０…第１及び第２導電部材、８０ａ，９０ａ…第１及び第２円弧部、８０ｂ，９０ｂ…第１及び第２直線部、８０ｃ，９０ｃ…第１及び第２チョークコイル（バネ部）、８０ｄ，９０ｄ…第１及び第２接続部、８０ｅ，９０ｅ…端部（係合部）、ＭＧ１…第１永久磁石、ＭＧ２…第２永久磁石、ｆ１…内側面（一側面）、ｆ２…外側面（他側面）、Ｗ１…第１側壁、Ｗ２…第２側壁、Ｗ３…天井壁、ＣＰ…キャップ、ＳＴ１〜ＳＴ３…第１〜第３規制片、Ｂ１，Ｂ２…第１及び第２ブラシ、ＰＴ１，ＰＴ２…第１及び第２ピッグテール、ＳＰ…圧縮ばね、Ｃａ，Ｃｂ…第１及び第２コンデンサ、Ｃａ１，Ｃａ２…第１及び第２引出線（リード線引出し部）、Ｃｂ１，Ｃｂ２…第１及び第２引出線（リード線引出し部）、ｆａ，ｆｂ…偏平面、Ｏ…中心軸線、Ｌ１〜Ｌ４…第１〜第４中心線、Ｌｋ…基準線。
【図１】
2014064389.tif 000003
【図２】
2014064389.tif 000004
【図３】
2014064389.tif 000005
【図４】
2014064389.tif 000006
【図５】
2014064389.tif 000007
【図６】
2014064389.tif 000008
【図７】
2014064389.tif 000009
【図８】
2014064389.tif 000010
【図９】
2014064389.tif 000011
【図１０】
2014064389.tif 000012
【図１１】
2014064389.tif 000013
【図１２】
2014064389.tif 000014